【手続補正書】
【提出日】平成22年1月7日(2010.1.7)
【手続補正１】
【補正対象書類名】特許請求の範囲
【補正対象項目名】全文
【補正方法】変更
【補正の内容】
【特許請求の範囲】
【請求項１】
情報記録媒体（メディア）に対する記録データを出力する情報処理装置であり、
データ記録先としてのメディアが変更されてもデータ内容が共通である共通データからなるメディア共通データを記憶した記憶部と、
データ記録先としてのメディアに応じてデータ内容が変更されるメディア固有データを生成するメディア固有データ生成部と、
前記メディア共通データを含むメディア共通データファイルと、前記メディア固有データを含むメディア固有データファイルとを、出力データファイルとして生成する出力データ生成部と、
前記出力データ生成部の生成した出力データファイルを出力するデータ出力部と、
を有することを特徴とする情報処理装置。
【請求項２】
前記記憶部は、
データ記録先として許容されるメディアの種類と、記録データのデータサイズ情報との少なくともいずれかの情報を含むコンテンツ記録許容媒体情報を格納し、
前記出力データ生成部は、
前記コンテンツ記録許容媒体情報を含むファイルを出力データファイルとして生成する構成であることを特徴とする請求項１に記載の情報処理装置。
【請求項３】
前記出力データ生成部は、
前記メディア共通データのみからなるメディア共通データファイルと、前記メディア固有データのみからなるメディア固有データファイルを個別の出力データファイルとして生成する構成であり、
前記データ出力部は、
前記メディア共通データファイルのみからなるメディア共通データファイルと、前記メディア固有データのみからなるメディア固有データファイルとを個別に出力する処理を実行する構成であることを特徴とする請求項１に記載の情報処理装置。
【請求項４】
前記記憶部は、
メディアに対する記録データの記録位置の指定情報であるデータ配置情報を格納し、
前記出力データ生成部は、
前記データ配置情報を含むファイルを出力データファイルとして生成する構成であることを特徴とする請求項１に記載の情報処理装置。
【請求項５】
前記データ配置情報は、
コンテンツ構成データに対応する記録開始および終了位置情報としてのセクタ情報を記録した構成であることを特徴とする請求項４に記載の情報処理装置。
【請求項６】
前記データ配置情報は、
コンテンツ構成データに対応する記録開始および終了位置情報としてのセクタ情報を相対位置情報として記録した構成であることを特徴とする請求項４に記載の情報処理装置。
【請求項７】
前記メディア固有データ生成部は、
データ記録先としてのメディアに固有のメディア識別子を入力し、該メディア識別子を含むデータに対する電子署名データを含むメディア固有データを生成し、
前記出力データ生成部は、
前記メディア固有データを含むファイルを出力データファイルとして生成する構成であることを特徴とする請求項１に記載の情報処理装置。
【請求項８】
前記記憶部は、
コンテンツ対応のコンテンツ識別情報を格納した構成であり、
前記出力データ生成部は、
出力データとして選択されたコンテンツに対応するコンテンツ識別情報を含むデータを出力データファイルとして生成する構成であることを特徴とする請求項１に記載の情報処理装置。
【請求項９】
前記記憶部は、
コンテンツ対応の説明情報データ、またはコンテンツ対応の代表画像からなるサムネイル画像データの少なくともいずれかのデータを含むコンテンツ対応のコンテンツ識別情報を格納した構成であり、
前記出力データ生成部は、
出力データとして選択されたコンテンツに対応するコンテンツ識別情報として、コンテンツ対応の説明情報データ、またはコンテンツ対応の代表画像からなるサムネイル画像データの少なくともいずれかのデータを含む出力データファイルを生成する構成であることを特徴とする請求項８に記載の情報処理装置。
【請求項１０】
情報記録媒体（メディア）に対するデータ記録処理を実行する情報処理装置であり、
記録データを含むデータファイルを入力するデータ入力部と、
前記データファイルを設定したディレクトリ構成を構築し、ディレクトリを記録するためのファイルシステム情報を生成する処理を実行する制御部と、
前記制御部の設定したファイルシステム情報および前記ディレクトリに設定されたデータファイルを情報記録媒体（メディア）に記録する処理を実行するデータ記録部と、
を有することを特徴とする情報処理装置。
【請求項１１】
前記制御部は、
前記データ入力部を介して入力するデータファイル中にデータ記録先として許容されるメディアの種類と、記録データのデータサイズ情報との少なくともいずれかの情報を含むコンテンツ記録許容媒体情報が含まれる場合、該コンテンツ記録許容媒体情報を表示部に表示する処理を実行する構成であることを特徴とする請求項１０に記載の情報処理装置。
【請求項１２】
コンテンツを記録した情報記録媒体であり、
コンテンツに対応する独立したコンテンツ対応ファイル群を記録データとして有し、
情報処理装置におけるコンテンツ消去に際して、前記コンテンツ対応ファイル群の消去処理によってコンテンツの消去を実行可能とした構成を有することを特徴とする情報記録媒体。
【請求項１３】
情報記録媒体（メディア）から記録データを読み取り再生処理を実行する情報処理装置であり、
情報記録媒体に記録されたコンテンツに対応して設定されたコンテンツ対応ファイル群に含まれるコンテンツ識別情報を抽出し、抽出したコンテンツ識別情報を適用してコンテンツ情報表示データを生成するデータ処理部と、
前記コンテンツ情報表示データを表示する表示部と、
を有することを特徴とする情報処理装置。
【請求項１４】
情報処理装置において、情報記録媒体（メディア）に対する記録データを出力する情報処理方法であり、
メディア固有データ生成部が、データ記録先メディアに応じてデータ内容が変更されるメディア固有データを生成するメディア固有データ生成ステップと、
出力データ生成部が、メディア共通データを含むメディア共通データファイルと、前記メディア固有データを含むメディア固有データファイルとを、出力データファイルとして生成する出力データ生成ステップと、
データ出力部が、前記出力データ生成部の生成した出力データファイルを出力するデータ出力ステップと、
を有することを特徴とする情報処理方法。
【請求項１５】
情報処理装置において、情報記録媒体（メディア）に対するデータ記録処理を実行する情報処理方法であり、
データ入力部が、記録データを含むデータファイルを入力するデータ入力ステップと、
制御部が、前記データファイルを設定したディレクトリ構成を構築し、ディレクトリを記録するためのファイルシステム情報を生成する処理を実行する記録データ生成ステップと、
データ記録部が、前記制御部の設定したファイルシステム情報および前記ディレクトリに設定されたデータファイルを情報記録媒体（メディア）に記録する処理を実行するデータ記録ステップと、
を有することを特徴とする情報処理方法。
【請求項１６】
情報処理装置において、情報記録媒体（メディア）から記録データを読み取り再生処理を実行する情報処理方法であり、
データ処理部が、情報記録媒体に記録されたコンテンツに対応して設定されたコンテンツ対応ファイル群に含まれるコンテンツ識別情報を抽出し、抽出したコンテンツ識別情報を適用してコンテンツ情報表示データを生成するデータ処理ステップと、
表示部において、前記コンテンツ情報表示データを表示する表示ステップと、
を有することを特徴とする情報処理方法。
【請求項１７】
情報処理装置において、情報記録媒体（メディア）に対する記録データの生成および出力処理を実行させるコンピュータ・プログラムであり、
メディア固有データ生成部に、データ記録先メディアに応じてデータ内容が変更されるメディア固有データを生成させるメディア固有データ生成ステップと、
出力データ生成部に、メディア共通データを含むメディア共通データファイルと、前記メディア固有データを含むメディア固有データファイルとを、出力データファイルとして生成させる出力データ生成ステップと、
データ出力部に、前記出力データ生成部の生成した出力データファイルを出力させるデータ出力ステップと、
を実行させることを特徴とするコンピュータ・プログラム。
【請求項１８】
情報処理装置において、情報記録媒体（メディア）に対するデータ記録処理を実行させるコンピュータ・プログラムであり、
データ入力部に、記録データを含むデータファイルを入力させるデータ入力ステップと、
制御部に、前記データファイルを設定したディレクトリ構成を構築させ、ディレクトリを記録するためのファイルシステム情報を生成させる記録データ生成ステップと、
データ記録部に、前記制御部の設定したファイルシステム情報および前記ディレクトリに設定されたデータファイルを情報記録媒体（メディア）に記録する処理を実行させるデータ記録ステップと、
を実行させることを特徴とするコンピュータ・プログラム。
【請求項１９】
情報処理装置において、情報記録媒体（メディア）から記録データを読み取り再生処理を実行させるコンピュータ・プログラムであり、
データ処理部に、情報記録媒体に記録されたコンテンツに対応して設定されたコンテンツ対応ファイル群に含まれるコンテンツ識別情報を抽出し、抽出したコンテンツ識別情報を適用してコンテンツ情報表示データを生成させるデータ処理ステップと、
表示部に、前記コンテンツ情報表示データを表示させる表示ステップと、
を有することを特徴とするコンピュータ・プログラム。
【請求項２０】
サーバから記録装置に送信されるデータ構造において、
ＡＶストリームファイル及びコピープロテクション関連ファイルを含むコンテンツ対応データと、
前記記録装置により記録することが許容される媒体に関する許容媒体情報、または、前記記録装置により受信した前記ＡＶストリームファイルの記録位置を決定する配置情報を含むことを特徴とするデータ構造。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００４５
【補正方法】削除
【補正の内容】
【手続補正１９】
【補正対象書類名】明細書
【補正対象項目名】００４６
【補正方法】削除
【補正の内容】
【手続補正２０】
【補正対象書類名】明細書
【補正対象項目名】００４７
【補正方法】削除
【補正の内容】
【手続補正２１】
【補正対象書類名】明細書
【補正対象項目名】００４８
【補正方法】削除
【補正の内容】
【手続補正２２】
【補正対象書類名】明細書
【補正対象項目名】００４９
【補正方法】削除
【補正の内容】
【手続補正２３】
【補正対象書類名】明細書
【補正対象項目名】００５０
【補正方法】削除
【補正の内容】
【手続補正２４】
【補正対象書類名】明細書
【補正対象項目名】００５２
【補正方法】削除
【補正の内容】